(57)【要約】【課題】点灯装置と灯具ハウジング間及び点灯装置のベースとカバーの間をシールしつつ、カバーとベースとの取り付け工数を削減することができる取付構造を提供すること。【解決手段】点灯装置１００は、環状のシール部材１１０を介して灯具ハウジングの一部である底部１３０の外部に取り付けられている。また、点灯装置１００は、回路基板１０とベース２０とカバー３０とを備えている。シール部材１１０は、コネクタ４０を囲いつつ、カバー３０と底部１３０との間に介在され、且つ、カバー３０の端部とベース２０との隙間を全周に亘って覆うように配置されている。そして、シール部材１１０が、カバー３０と底部１３０との間で圧縮され、カバー３０が、シール部材１１０の反力で回路基板１０側に押圧されて収容空間を形成し、シール部材１１０によって、点灯装置１００と底部１３０との間及びベース２０とカバー３０との隙間がシールされている。【選択図】図３
2015022920.tif 000002
【特許請求の範囲】
【請求項１】
光源（１２０）を収容している灯具ハウジング（１３０〜１５０，１３１，１３２）に対する点灯装置の取付構造であって、
前記点灯装置（１００〜１０２）は、
環状のシール部材（１１０）を介して前記灯具ハウジングの外部に取り付けられており、
電気的接続部（４０，４１）を介して前記光源と電気的に接続され、前記光源の点灯状態を制御する回路が形成された回路基板（１０）と、
前記回路基板が固定されたベース（２０〜２２）、及び前記回路基板と前記灯具ハウジングとの間に配置されて、前記回路基板が収容された収容空間を前記ベースと共に形成するカバー（３０）を有する回路筐体と、を備え、
前記シール部材は、前記電気的接続部を囲いつつ、前記カバーと前記灯具ハウジングとの間に介在され、且つ、前記カバーの端部と前記ベースとの隙間を全周に亘って覆うように配置されており、
前記回路基板が前記灯具ハウジングに固定されることで、前記シール部材が、前記カバーと前記灯具ハウジングとの間で圧縮され、前記カバーが、前記シール部材の圧縮による反力で前記回路基板側に押圧されて前記ベースと前記収容空間を形成すると共に、前記シール部材によって、前記点灯装置と前記灯具ハウジングとの間、及び前記ベースの端部と前記カバーとの隙間がシールされていることを特徴とする取付構造。
【請求項２】
前記灯具ハウジング（１３０，１３１）は、前記点灯装置（１００，１０１）を固定する固定部（１３０ｂ，１３１ｂ）を有するものであって、
前記ベース（２０，２１）は、前記固定部に対して固定される被固定部（２０ｃ，２１ｃ）を有し、
前記回路基板は、前記被固定部が前記固定部に固定されることで、前記ベース及び前記灯具ハウジングに固定されていることを特徴とする請求項１に記載の取付構造。
【請求項３】
前記被固定部（２０ｃ）は、嵌合によって前記固定部（１３０ｂ）に固定されていることを特徴とする請求項２に記載の取付構造。
【請求項４】
前記被固定部（２１ｃ）は、螺子（ｓ１）によって前記固定部（１３１ｂ）に固定されていることを特徴とする請求項２に記載の取付構造。
【請求項５】
前記灯具ハウジング（１３２）は、前記点灯装置を固定する固定部（１３２ｂ）を有するものであって、
前記点灯装置（１０２）は、前記電気的接続部の一部としてのコネクタ（４１）を有し、
前記コネクタは、前記回路基板と機械的及び電気的に接続されると共に、前記固定部に対して固定される被固定部（４１ａ）を有し、
前記回路基板は、前記被固定部が前記固定部に固定されることで、前記灯具ハウジングに固定されていることを特徴とする請求項１に記載の取付構造。
【請求項６】
前記被固定部は、嵌合によって前記固定部に固定されていることを特徴とする請求項５に記載の取付構造。
【請求項７】
前記回路基板は、接着剤を介して前記ベースに固定されていることを特徴とする請求項５又は６に記載の取付構造。
【請求項８】
前記ベースは、前記回路基板が搭載された搭載部（２０ａ〜２２ａ）と、前記搭載部から前記回路基板の厚さ方向に突出して設けられ前記回路基板を囲う側壁（２０ｂ〜２２ｂ）とを有した箱状部材からなり、
前記カバーは、前記側壁で囲まれた領域に配置された平板状部材からなることを特徴とする請求項１乃至７のいずれか一項に記載の取付構造。
【発明の詳細な説明】
【技術分野】
【０００１】
本発明は、光源を収容している灯具ハウジングに対する点灯装置の取付構造に関する。
【背景技術】
【０００２】
従来、点灯装置の取付構造の一例として、特許文献１に開示された車両用灯具がある。車両用灯具は、灯具ハウジングに点灯装置が取付けられて成るものである。点灯装置のケースは、内部回路（以下、回路基板と称する）を内部に収納するに充分な深さを有し一つの面をケース開口部とする略函状とされた第一ケースと、第一ケースに落とし蓋状に取付けられる第二ケースとから構成されている。一方、灯具ハウジングには、ケース開口部に嵌合するシール溝で周りを囲まれた灯具ハウジング開口部が設けられている。そして、車両用灯具は、ケース開口部と灯具ハウジング開口部とを嵌合させて取付ける構成としたことで、点灯装置を取付ける工程のみで、点灯装置の防水および両者間の防水が共に確保できる。
【先行技術文献】
【特許文献】
【０００３】
【特許文献１】特開２０００−２３５８１０号公報
【発明の概要】
【発明が解決しようとする課題】
【０００４】
しかしながら、上記車両用灯具は、回路基板を収容している第一ケースと第二ケースとを螺子などによって取り付ける必要がある。このため、車両用灯具は、点灯装置を灯具ハウジングに取り付ける場合、回路基板を収容している第一ケースと第二ケースとを取り付け、更に、第一ケースと灯具ハウジングとを取り付ける必要がある。
【０００５】
本発明は、上記問題点に鑑みなされたものであり、点灯装置と灯具ハウジング間及び点灯装置のベースとカバーの間をシールしつつ、カバーとベースとの取り付け工数を削減することができる取付構造を提供することを目的とする。
【課題を解決するための手段】
【０００６】
上記目的を達成するために本発明は、
光源（１２０）を収容している灯具ハウジング（１３０〜１５０，１３１，１３２）に対する点灯装置の取付構造であって、
点灯装置（１００〜１０２）は、
環状のシール部材（１１０）を介して灯具ハウジングの外部に取り付けられており、
電気的接続部（４０，４１）を介して光源と電気的に接続され、光源の点灯状態を制御する回路が形成された回路基板（１０）と、
回路基板が固定されたベース（２０〜２２）、及び回路基板と灯具ハウジングとの間に配置されて、回路基板が収容された収容空間をベースと共に形成するカバー（３０）を有する回路筐体と、を備え、
シール部材は、電気的接続部を囲いつつ、カバーと灯具ハウジングとの間に介在され、且つ、カバーの端部とベースとの隙間を全周に亘って覆うように配置されており、
回路基板が灯具ハウジングに固定されることで、シール部材が、カバーと灯具ハウジングとの間で圧縮され、カバーが、シール部材の圧縮による反力で回路基板側に押圧されてベースと収容空間を形成すると共に、シール部材によって、点灯装置と灯具ハウジングとの間、及びベースとカバーとの隙間がシールされていることを特徴とする。
【０００７】
本発明は、環状のシール部材を介して点灯装置が灯具ハウジングの外部に取り付けられている。また、点灯装置は、電気的接続部を介して光源と電気的に接続された回路基板が、ベースとカバーとで形成された収容空間に収容されている。よって、点灯装置と灯具ハウジングとの間は、電気的接続部の周囲に隙間ができる可能性がある。また、ベースとカバーとの間に関しても、隙間ができる可能性がある。
【０００８】
そこで、シール部材は、電気的接続部を囲いつつ、カバーと灯具ハウジングとの間に介在され、且つ、カバーの端部とベースとの隙間を全周に亘って覆うように配置されている。また、このように配置されたシール部材は、回路基板が灯具ハウジングに固定されることで、カバーと灯具ハウジングとの間で圧縮される。従って、シール部材は、カバーと灯具ハウジングとの間で圧縮されることで、点灯装置と灯具ハウジングとの間、及びベースとカバーとの隙間をシールすることができる。
【０００９】
更に、カバーは、回路基板が灯具ハウジングに固定されることで、シール部材の圧縮による反力で回路基板側に押圧されてベースと共に収容空間を形成する。従って、本発明は、回路基板を灯具ハウジングに固定することで、カバーとベースとを互いに取り付けることができる。このように、本発明は、点灯装置と灯具ハウジング間及び点灯装置のベースとカバーの間をシールしつつ、カバーとベースとの取り付け工数を削減することができる。
【００１０】
なお、特許請求の範囲およびこの項に記載した括弧内の符号は、ひとつの態様として後述する実施形態に記載の具体的手段との対応関係を示すものであって、発明の技術的範囲を限定するものではない。
【図面の簡単な説明】
【００１１】
【図１】実施形態における前照灯の概略構成を示す透視側面図である。
【図２】図１の矢印II方向からの透視平面図である。
【図３】図２のIII−III線での断面図である。
【図４】図２のIV−IV線での断面図である。
【図５】変形例１における取付構造の概略構成を示す断面図である。
【図６】変形例２における取付構造の概略構成を示す断面図である。
【図７】参考例１における取付構造の概略構成を示す断面図である。
【図８】参考例２における取付構造の概略構成を示す断面図である。
【発明を実施するための形態】
【００１２】
以下、本発明の実施形態を図に基づいて説明する。本実施形態においては、取付構造を車両用の前照灯２００に適用した例を採用する。しかしながら、本発明は、これに限定されない。
【００１３】
図１に示すように、前照灯２００は、主要部として、光源１２０と、光源１２０の点灯状態を制御する点灯装置１００と、光源１２０を収容しており点灯装置１００が取り付けられた灯具ハウジング１３０〜１５０と、を備えて構成されている。なお、図１は、前照灯２００の全体構成を説明するための概略図である。点灯装置１００は、灯具ハウジングの外部に取り付けられるものであるが、図１では簡略化して図示している。灯具ハウジングの一部である底部１３０に対する点灯装置１００の取付構造に関しては、後ほど詳しく説明する。
【００１４】
灯具ハウジング１３０〜１５０は、底部１３０と、後方カバー１４０と、前面レンズ１５０と、を備えて構成されている。この底部１３０と、後方カバー１４０と、前面レンズ１５０とを組みつけることによって、光源１２０を収容するための内部空間が形成される。この内部空間に対する外部空間は、灯具ハウジング１３０〜１５０の外部の空間であり、エンジンルームや車両の周辺などである。
【００１５】
底部１３０は、樹脂などによって形成されており、点灯装置１００が取り付けられる部位である。底部１３０は、図２〜図４に示すように、内部空間に配置された光源１２０と点灯装置１００の回路基板１０とを電気的に接続するための開口部１３０ａが設けられている。つまり、底部１３０は、自身の厚み方向に貫通した開口部１３０ａが設けられている。本実施形態では、この開口部１３０ａに、点灯装置１００のコネクタ４０、及びコネクタ４０の相手側のコネクタｃ１が配置されている例を採用している。よって、開口部１３０ａは、コネクタ４０及びコネクタｃ１を囲うように設けられている。なお、底部１３０に点灯装置１００が取り付けられていない状態では、開口部１３０ａによって内部空間と外部空間とが連通することになる。図２は、図１の矢印II方向からの透視平面図であり、点灯装置１００と底部１３０との関係をわかりやすくするために、底部１３０を二点鎖線で図示している。また、図２においては、ワイヤｗ１，ｗ２を省略している。
【００１６】
また、底部１３０は、図２，図３に示すように、開口部１３０ａを囲う環状の突起１３０ｃが設けられている。つまり、底部１３０は、突起１３０ｃが設けられていることによって、開口部１３０ａの周囲が突出した形状をなしている。また、突起１３０ｃは、内部空間から外部空間へ向かう方向に、自身の周辺よりも突出している。この突起１３０ｃは、外周に点灯装置１００を固定する固定部１３０ｂが設けられている。なお、突起１３０ｃは、自身の内周が開口部１３０ａと連続して設けられており、内部空間と外部空間とを連通する貫通穴の一部をなしている。
【００１７】
固定部１３０ｂは、後ほど説明するベース２０に設けられた被固定部２０ｃと嵌合する部位であり、山状に突出して設けられている。固定部１３０ｂと被固定部２０ｃとは、スナップフィットによって、互いに固定（結合）されている。詳述すると、固定部１３０ｂは、固定部１３０ｂと被固定部２０ｃとが固定された状態において、被固定部２０ｃである凹部にはめ込まれることになる。このため、固定部１３０ｂと被固定部２０ｃとは、嵌合によって、互いに固定されている、と言い換えることもできる。
【００１８】
なお、突起１３０ｃの先端部には、図３，図４に示すように、環状の窪み部１３０ｄ、及び、環状の窪み部１３０ｄの内周側に、窪み部１３０ｄに対して突出して設けられた環状の足部１３０ｅが設けられている。つまり、窪み部１３０ｄは、足部１３０ｅよりも窪んで設けられている。また、窪み部１３０ｄは、全周に亘って平坦面である。更に、足部１３０ｅのカバー３０との対向面に関しても、全周に亘って平坦面である。
【００１９】
なお、突起１３０ｃの先端部とは、底部１３０に点灯装置１００が取り付けられた際に、点灯装置１００と対向する部位である。このため、突起１３０ｃは、点灯装置１００との対向面が段差形状をなしている、と言い換えることもできる。この窪み部１３０ｄと足部１３０ｅは、底部１３０に点灯装置１００が取り付けられた状態では、後ほど説明するシール部材１１０が接触することになる。しかしながら、本発明は、これに限定されない。突起１３０ｃにおける点灯装置１００との対向面は、平坦面であってもよい。
【００２０】
後方カバー１４０は、樹脂などによって形成されている。前方カバー１５０は、光源１２０からの光が車両の前方に照射されるように透明な樹脂によって形成されている。なお、本実施形態では、底部１３０と後方カバー１４０とが別体に設けられている例を採用している。しかしながら、本発明はこれに限定されない。底部１３０は、後方カバー１４０の一部として設けられていてもよい。また、本実施形態では、底部１３０に点灯装置１００が取り付けられる例を採用している。しかしながら、本発明はこれに限定されない。本発明は、後方カバー１４０に点灯装置１００が取り付けられていてもよい。後方カバー１４０に点灯装置１００が取り付けられる場合、当然ながら、上述の開口部１３０ａや固定部１３０ｂなどは、後方カバー１４０に設けられることになる。
【００２１】
光源１２０は、本実施形態ではＬＥＤ（発光ダイオード）を採用している。光源１２０は、前照灯２００の発光部の一部として設けられている。この発光部としては、光源１２０に加えて、例えば、光源１２０が実装されたヒートシンク、光源１２０が発した光を車両の前方の反射するためのリフレクタ、リフレクタによって反射された光を車両の前方に照射するための光学レンズなどを含む。なお、発光部に関しては、周知技術であるため詳しい説明を省略する。
【００２２】
点灯装置１００は、図２〜図４に示すように、主に、回路基板１０と、回路基板１０を収容している回路筐体と、コネクタ４０と、を備えて構成されている。回路基板１０は、コネクタ４０を含む電気的接続部を介して光源１２０と電気的に接続され、光源１２０の点灯状態を制御する回路が形成されてなるものである。回路基板１０は、例えば樹脂基板に、回路素子や配線が設けられた基板である。
【００２３】
回路筐体は、回路基板１０が固定されたベース２０、及び回路基板１０と底部１３０との間に配置されて、回路基板１０が収容された収容空間をベース２０と共に形成するカバー３０を有する。本実施形態においては、回路筐体として、一部が開口した箱状のベース２０と、ベース２０の開口を塞ぐカバー３０とを採用している。
【００２４】
詳述すると、ベース２０は、回路基板１０が搭載された搭載部２０ａと、搭載部２０ａから回路基板１０の厚さ方向に突出して設けられた回路基板１０を囲う側壁２０ｂとを有した箱状部材である。回路基板１０は、点灯装置１００が底部１３０に固定されていない状態では、単に搭載部２０ａに配置されているだけである。なお、側壁２０ｂは、環状に設けられている、と言い換えることもできる。また、ベース２０は、一面が開口した直方体形状を有している、と言い換えることもできる。また、ベース２０は、搭載部２０ａの対向領域が開口した箱状部材、と称することもできる。
【００２５】
一方、カバー３０は、側壁２０ｂで囲まれた領域に配置された平板状部材である。このカバー３０は、点灯装置１００が底部１３０に取り付けられた状態において、開口部１３０ａの対向領域から、突起１３０ｃの対向領域まで達するように設けられている。
【００２６】
さらに、カバー３０は、ベース２０の開口を塞ぐものであるが、側壁２０ｂで囲まれた領域に配置できる程度の体格としている。よって、ベース２０とカバー３０との間には、隙間が生じる。つまり、ベース２０の側壁２０ｂとカバー３０の側壁とは、少なくとも一部に隙間が生じた状態で対向している。また、カバー３０の端部とベース２０との隙間は、ベース２０の側壁２０ｂとカバー３０の側壁とが対向している部位と、言い換えることもできる。なお、図示は省略するが、カバー３０は、自身の厚み方向に貫通した貫通穴が設けられている。そして、カバー３０は、ベース２０と共に収容空間を形成した状態で、自身の貫通穴にコネクタ４０が配置されることになる。このコネクタ４０は、金属からなる端子と、端子を囲う端子カバーとを含むものである。このコネクタ４０は、回路基板１０と電気的及び機械的に接続されている。また、コネクタ４０は、相手側のコネクタｃ１が電気的及び機械的に接続可能に構成されている。
【００２７】
更に、ベース２０は、図２，図３に示すように、側壁２０ｂの端面（縁面）の一部から突出した突起２０ｄが設けられている。ここでは、二箇所に突起２０ｄを設けた例を採用している。また、この突起２０ｄには、固定部１３０ｂに対して固定される部位、すなわち、固定部１３０ｂと嵌合する凹部である被固定部２０ｃが設けられている。なお、本実施形態では、固定部１３０ｂと被固定部２０ｃとをスナップフィットによって固定するため、突起２０ｄは、弾性変形が可能なように設けられている。
【００２８】
このように構成された点灯装置１００と光源１２０とは、コネクタ４０、ｃ１などを介して電気的に接続されている。詳述すると、点灯装置１００は、回路基板１０が、コネクタ４０と、コネクタｃ１と、ワイヤｗ１と、光源１２０側のコネクタｃ２とを介して光源１２０と電気的に接続されている。なお、回路基板１０は、コネクタ４０と、コネクタｃ１と、ワイヤｗ２と、コネクタｃ３とを介して、外部接続用のコネクタｃ４と電気的に接続されている。電気的な接続関係に関しては、図１を参照されたい。
【００２９】
また、点灯装置１００は、環状のシール部材１１０を介して灯具ハウジングの一部である底部１３０の外部に取り付けられている。このシール部材１１０は、弾性部材からなるものであり、例えばゴムによって構成されている。また、シール部材１１０は、Ｏリング、又はパッキンなどと称することもできる。
【００３０】
ここで、灯具ハウジング（底部１３０）に対する点灯装置１００の取付構造に関して説明する。
【００３１】
点灯装置１００は、底部１３０に取り付けられていない状態では、ベース２０の搭載部２０ａに回路基板１０が配置されており、回路基板１０上にカバー３０が配置されている。このような状態の点灯装置１００は、固定部１３０ｂと被固定部２０ｃとが固定されることで、底部１３０に取り付けられる。なお、ベース２０に配置された回路基板１０は、被固定部２０ｃが固定部１３０ｂに固定されることで、底部１３０に固定さることになる。また、点灯装置１００は、固定部１３０ｂと被固定部２０ｃとが固定されることで、開口部１３０ａを覆うことになる。
【００３２】
そして、点灯装置１００を底部１３０に取り付ける際には、図２〜図４に示すように、カバー３０と底部１３０との間に、シール部材１１０を配置する。詳述すると、シール部材１１０は、コネクタ４０，コネクタｃ１を囲いつつ、カバー３０と底部１３０との間に介在され、且つ、カバー３０の端部とベース２０との隙間を全周に亘って覆うように配置されている。言い換えると、シール部材１１０は、底部１３０に設けられた開口部１３０ａを囲いつつ、底部１３０における開口部１３０ａの周囲と、カバー３０との間に配置されている。また、詳述すると、シール部材１１０は、突起１３０ｃの端部とカバー３０との間に配置されている。更に、シール部材１１０は、ベース２０の側壁２０ｂとカバー３０の側壁とが対向している部位を全周に亘って覆うように配置されている。なお、本実施形態のシール部材１１０は、窪み部１３０ｄと、足部１３０ｅと、ベース２０の側壁２０ｂと、カバー３０とで囲まれた位置に配置される。
【００３３】
本実施形態の取付構造においては、このシール部材１１０は、回路基板１０が底部１３０に固定されることで、すなわち、固定部１３０ｂと被固定部２０ｃとが固定されることで、カバー３０と底部１３０との間で圧縮される。そして、カバー３０は、シール部材１１０がカバー３０と底部１３０との間で圧縮されることで、シール部材１１０の圧縮による反力で回路基板１０側に押圧されてベース２０と収容空間を形成する。また、回路基板１０は、被固定部２０ｃが固定部１３０ｂに固定されることで、シール部材１１０の圧縮による反力によって、カバー３０から押圧されてベース２０に固定さることになる。更に、シール部材１１０がカバー３０と底部１３０との間で圧縮されることで、点灯装置１００と底部１３０との間、及びベース２０の端部とカバー３０との隙間がシール部材１１０によってシールされる。
【００３４】
つまり、上述のように配置されたシール部材１１０は、カバー３０と底部１３０との間で圧縮されることによって、窪み部１３０ｄと、足部１３０ｅと、ベース２０の側壁２０ｂと、カバー３０とに密着する。これによって、点灯装置１００と底部１３０との間、及びベース２０とカバー３０との隙間がシール部材１１０によってシールされる。なお、このように、点灯装置１００は、灯具ハウジング１３０に設けられた開口部１３０ａを塞ぐものであり、灯具ハウジング１３０〜１５０の一部としても機能する。
【００３５】
ここまで説明したように、本実施形態の取付構造は、環状のシール部材１１０を介して点灯装置１００が底部１３０の外部に取り付けられている。また、点灯装置１００は、コネクタ４０などを介して光源１２０と電気的に接続された回路基板１０が、ベース２０とカバー３０とで形成された収容空間に収容されている。よって、点灯装置１００と灯具ハウジング１３０〜１５０との間は、コネクタ４０などの電気的接続部の周囲に隙間ができる可能性がある。また、ベース２０とカバー３０との間に関しても、隙間ができる可能性がある。
【００３６】
そこで、シール部材１１０は、コネクタ４０などの電気的接続部を囲いつつ、カバー３０と底部１３０との間に介在され、且つ、カバー３０の端部とベース２０との隙間を全周に亘って覆うように配置されている。また、このように配置されたシール部材１１０は、回路基板１０が底部１３０に固定されることで、カバー３０と底部１３０との間で圧縮される。従って、シール部材１１０は、カバー３０と底部１３０との間で圧縮されることで、点灯装置１００と底部１３０との間、及びベース２０とカバー３０との隙間をシールすることができる。
【００３７】
更に、カバー３０は、回路基板１０が底部１３０に固定されることで、シール部材１１０の圧縮による反力で回路基板１０側に押圧されてベース２０と共に収容空間を形成する。従って、本実施形態の取付構造は、回路基板１０を底部１３０に固定することで、カバー３０とベース２０とを互いに取り付けることができる。このように、本実施形態の取付構造は、点灯装置１００と底部１３０間及び点灯装置１００のベース２０とカバー３０の間をシールしつつ、カバー３０とベース２０との取り付け工数を削減することができる。
【００３８】
よって、灯具ハウジング１３０〜１５０の内部を防水及び防塵しつつ、点灯装置１００のベース２０とカバー３０の内部を防水及び防塵することができる。さらに、点灯装置１００を底部１３０に取り付ける前に、ベース２０に対して、カバー３０を取り付ける（固定する）必要がない。つまり、底部１３０に対する点灯装置１００の取り付けとは別に、ベース２０に対してカバー３０を取り付ける必要がない。
【００３９】
また、本実施形態では、上述のように、窪み部１３０ｄと足部１３０ｅとを設けた例を採用している。このため、窪み部１３０ｄと足部１３０ｅとが設けられていない場合よりも、底部１３０に点灯装置１００が取り付けられた際に、シール部材１１０を配置された位置に留めやすくすることができる。
【００４０】
また、本実施形態では、このように、窪み部１３０ｄと足部１３０ｅとを設けた例を採用している。このため、本実施形態の取付構造は、窪み部１３０ｄと足部１３０ｅとが設けられていない場合よりも、底部１３０に点灯装置１００が取り付けられた際に、シール部材１１０を圧縮する力、及びシール部材１１０の反力を増大させることができる。言い換えると、本実施形態の取付構造は、窪み部１３０ｄとカバー３０で挟まれたシール部材１１０の厚み方向（垂直方向）において、シール部材１１０を圧縮する力、及びシール部材１１０の反力を増大させることができる。更に、本実施形態の取付構造は、足部１３０ｅと側壁２０ｂとで挟まれたシール部材１１０の径方向（水平方向）において、シール部材１１０を圧縮する力、及びシール部材１１０の反力を増大させることができる。よって、本実施形態の取付構造は、点灯装置１００と底部１３０間のシール性、及び点灯装置１００のベース２０とカバー３０の間のシール性を向上させることができる。
【００４１】
また、本実施形態の取付構造では、被固定部２０ｃと固定部１３０ｂとをスナップフィットによって固定することで、点灯装置１００が底部１３０に取り付けられている。このため、螺子を用いて点灯装置１００を底部１３０に取り付ける場合よりも簡単に、点灯装置１００を底部１３０に取り付けることができる。
【００４２】
また、本実施形態の取付構造では、灯具ハウジング１３０〜１５０の外部に、点灯装置１００を取り付けている。このため、点灯装置１００を底部１３０から取り外して交換する際に、光源１２０、リフレクタ、光学レンズなどを含む発光部を取り外す必要がない。従って、本実施形態の取付構造は、点灯装置１００を容易に交換できる効果も期待できる。
【００４３】
以上、本発明の好ましい実施形態について説明した。しかしながら、本発明は、上述した実施形態に何ら制限されることはなく、本発明の趣旨を逸脱しない範囲において、種々の変形が可能である。
【００４４】
（変形例１）
図５を用いて、変形例１の取付構造に関して説明する。本発明は、変形例１のように、螺子ｓ１によって、点灯装置１０１を底部１３１に取り付けるものであっても採用できる。なお、変形例１においては、上述の実施形態と同じ箇所に関しては、同じ符号を付与するなどして説明を省略する。なお、図５は、図２に対応する断面図である。
【００４５】
底部１３１は、開口部１３０ａと同様の開口部１３１ａ、足部１３０ｅと同様の足部１３１ｃ、窪み部１３０ｄと同様の窪み部１３１ｄ、及び固定部１３０ｂとは異なる固定部１３１ｂが設けられている。固定部１３１ｂは、螺子ｓ１が挿入される螺子穴が設けられている。
【００４６】
一方、点灯装置１０１は、主に、回路基板１０と、回路基板１０を収容している回路筐体と、コネクタ４０と、を備えて構成されている。回路筐体は、回路基板１０が固定されたベース２１、及び回路基板１０と底部１３１との間に配置されて、回路基板１０が収容された収容空間をベース２１と共に形成するカバー３０を有する。ベース２１は、搭載部２０ａと同様の搭載部２１ａ、側壁２０ｂと同様の側壁２１ｂ、及び被固定部２０ｃとは異なる被固定部２１ｃが設けられている。被固定部２１ｃは、側壁２０ｂから突出して設けられたフランジであり、底部１３１と対向する部位に、螺子ｓ１が挿入される螺子穴が設けられている。被固定部２１ｃは、螺子ｓ１によって固定部１３１ｂに固定されている。つまり、変形例１の取付構造は、被固定部２１ｃと固定部１３１ｂとが螺子ｓ１によって固定されることで、点灯装置１０１が底部１３１に取り付けられている。
【００４７】
このような変形例１の取付構造であっても、上述と同様の効果を奏することができる。なお、本発明は、接着剤によって、灯具ハウジングの固定部に点灯装置の被固定部が固定されるものであっても採用できる。この場合であっても、上述と同様の効果を奏することができる。
【００４８】
（変形例２）
図６を用いて、変形例２の取付構造に関して説明する。本発明は、変形例２に示すように、コネクタ４１に設けられた被固定部４１ａと、コネクタｃ２１に設けられた固定部１３２ｂとが固定されることで、点灯装置１０２を底部１３２に取り付けられるものであっても採用できる。なお、変形例２においては、上述の実施形態と同じ箇所に関しては、同じ符号を付与するなどして説明を省略する。なお、図６は、図２に対応する断面図である。
【００４９】
底部１３２は、点灯装置１０２側のコネクタ４１と電気的及び機械的に接続されるコネクタｃ２１が一体的に設けられている。つまり、底部１３２は、灯具ハウジングの一部として機能する部位と、コネクタｃ２１とが一体的に設けられている。このコネクタｃ２１は、内部空間から外部空間へ向かう方向に、自身の周辺よりも突出している。また、コネクタｃ２１は、金属からなる端子と、端子を囲う端子カバーとを含むものである。このコネクタｃ２１は、金属からなる端子と、端子を囲う端子カバーとの間に隙間が生じることもある。更に、コネクタｃ２１は、外周に固定部１３０ｂと同様に、山状に突出した固定部１３２ｂが設けられている。
【００５０】
一方、点灯装置１０２は、主に、回路基板１０と、回路基板１０を収容している回路筐体と、電気的接続部の一部としてのコネクタ４１と、を備えて構成されている。回路筐体は、回路基板１０が固定されたベース２２、及び回路基板１０と底部１３２との間に配置されて、回路基板１０が収容された収容空間をベース２２と共に形成するカバー３０を有する。ベース２２は、搭載部２０ａと同様の搭載部２２ａ、側壁２０ｂと同様の側壁２２ｂが設けられている。つまり、ベース２２は、被固定部が設けられていない。なお、回路基板１０は、接着剤を介してベース２２に固定されている。
【００５１】
コネクタ４１は、回路基板１０と機械的及び電気的に接続されると共に、コネクタ４１は、固定部１３２ｂに対して固定される被固定部４１ａが設けられている。被固定部４１ａは、被固定部２０ｃと同様の凹部である。被固定部４１ａは、スナップフィット（嵌合）によって固定部１３２ｂに固定されている。回路基板１０は、被固定部４１ａが固定部１３２ｂに固定されることで、底部１３２に固定されている。
【００５２】
そして、変形例２の取付構造は、被固定部４１ａと固定部１３２ｂとが固定されることで、点灯装置１０２が底部１３２に取り付けられている。この変形例２の取付構造であっても、上述と同様の効果を奏することができる。
【００５３】
（参考例１）
ここで、図７を用いて、参考例１の取付構造に関して説明する。参考例１は、点灯装置１０３がカバー３０を備えていない点以外は上述の実施形態と同様である。なお、参考例１においては、上述の実施形態と同じ箇所に関しては、同じ符号を付与するなどして説明を省略する。なお、図７は、図２に対応する断面図である。
【００５４】
参考例１は、光源１２０を収容している灯具ハウジング（１３０〜１５０）に対する点灯装置の取付構造である。点灯装置１０３は、環状のシール部材１１０を介して底部１３０の外部に取り付けられている。また、点灯装置１０３は、コネクタ４０を介して光源１２０と電気的に接続され、光源１２０の点灯状態を制御する回路が形成された回路基板１０と、回路基板１０が固定されたベース２０とを備えて構成されている。
【００５５】
シール部材１１０は、コネクタ４０などを囲いつつ、回路基板１０と底部１３０との間に介在され、且つ、回路基板１０の端部とベース２０との隙間を全周に亘って覆うように配置されている。つまり、シール部材１１０は、ベース２０の側壁２０ｂと回路基板１０の側壁とが対向している部位を全周に亘って覆うように配置されている。
【００５６】
また、参考例１の取付構造は、回路基板１０が底部１３０に固定されることで、すなわち、固定部１３０ｂと被固定部２０ｃとが固定されることで、シール部材１１０が、回路基板１０と底部１３０との間で圧縮される。回路基板１０は、シール部材１１０の圧縮による反力で搭載部２０ａに押圧される。そして、シール部材によって、点灯装置１０３と底部１３０との間、及びベース２０の端部（側壁２０ｂ）と回路基板１０との隙間がシールされている。
【００５７】
このように、参考例１の取付構造は、点灯装置１０３を底部１３０に取り付けることで、点灯装置１０３と底部１３０間及び点灯装置１０３の回路基板１０とベース２０間をシールすることができる。
【００５８】
（参考例２）
次に、図８を用いて、参考例２の取付構造に関して説明する。参考例２は、点灯装置１０４がカバー３０を備えていない点以外は上述の変形例１と同様である。なお、参考例２においては、上述の変形例２と同じ箇所に関しては、同じ符号を付与するなどして説明を省略する。なお、図８は、図５に対応する断面図である。
【００５９】
参考例２は、光源１２０を収容している灯具ハウジング（１３１，１４０，１５０）に対する点灯装置の取付構造である。点灯装置１０４は、環状のシール部材１１０を介して底部１３１の外部に取り付けられている。また、点灯装置１０４は、コネクタ４０を介して光源１２０と電気的に接続され、光源１２０の点灯状態を制御する回路が形成された回路基板１０と、回路基板１０が固定されたベース２１とを備えて構成されている。
【００６０】
シール部材１１０は、コネクタ４０などを囲いつつ、回路基板１０と底部１３１との間に介在され、且つ、回路基板１０の端部とベース２１との隙間を全周に亘って覆うように配置されている。つまり、シール部材１１０は、ベース２１の側壁２１ｂと回路基板１０の側壁とが対向している部位を全周に亘って覆うように配置されている。
【００６１】
また、参考例２の取付構造は、回路基板１０が底部１３１に固定されることで、すなわち、固定部１３１ｂと被固定部２１ｃとが固定されることで、シール部材１１０が、回路基板１０と底部１３１との間で圧縮される。回路基板１０は、シール部材１１０の圧縮による反力で搭載部２１ａに押圧される。そして、シール部材１１０によって、点灯装置１０４と底部１３１との間、及びベース２１の端部（側壁２１ｂ）と回路基板１０との隙間がシールされている。
【００６２】
このように、参考例２の取付構造は、点灯装置１０４を底部１３１に取り付けることで、点灯装置１０４と底部１３１間及び点灯装置１００の回路基板１０とベース２１間をシールすることができる。
【符号の説明】
【００６３】
１０  回路基板、２０〜２２  ベース、２０ａ〜２２ａ  搭載部、２０ｂ〜２２ｂ  側壁、２０ｃ，２１ｃ  被固定部、３０  カバー、４０，４１  コネクタ、４１ａ  被固定部、１００〜１０２  点灯装置、１１０  シール部材、１２０  光源、１３０〜１３２  底部、１３０ａ，１３１ａ  開口部、１３０ｂ〜１３２ｂ  固定部、１４０  後部カバー、１５０  前面レンズ、２００  前照灯、ｗ１，ｗ２  ワイヤ、ｃ１，ｃ２，ｃ３，ｃ４，ｃ２１  コネクタ、ｓ１  螺子
【図１】
2015022920.tif 000003
【図２】
2015022920.tif 000004
【図３】
2015022920.tif 000005
【図４】
2015022920.tif 000006
【図５】
2015022920.tif 000007
【図６】
2015022920.tif 000008
【図７】
2015022920.tif 000009
【図８】
2015022920.tif 000010